【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
インクが充填された第１のインクタンク、及び前記第１のインクタンクに充填されたインクと同色のインクが充填された第２のインクタンクを収納するカートリッジと、
前記第１のインクタンクと接続して前記第１のインクタンクから供給されたインクを吐出する第１のノズル列と、
前記第２のインクタンクと接続して前記第２のインクタンクから供給されたインクを吐出する第２のノズル列と、
記録媒体に画像を記録させる場合、前記第１のインクタンク及び前記第２のインクタンクのうちインク残量が多いインクタンクを判別してインク残量が多い前記インクタンクと接続したノズル列からインクを吐出して前記画像を記録させる記録制御部と、
を備えることを特徴とする記録装置。
【請求項２】
前記記録制御部は、
画像の記録を指示する第１の制御コマンドおよび画像の記録を指示する第２の制御コマンドを受信する請求項１に記載の記録装置。
【請求項３】
前記記録制御部は、
受信した第１の制御コマンドに基づく画像の記録に係る処理中に前記第２の制御コマンドを受信した場合、前記第２の制御コマンドの受信が完了した時点でのインク残量が多い前記インクタンクを判別し、インク残量が多いと判別したインクタンクと接続したノズル列からインクを吐出させて前記第２の制御コマンドに基づく画像を記録させる請求項２に記載の記録装置。
【請求項４】
前記記録制御部は、
受信した前記第１の制御コマンドに基づく画像の記録に係る処理中に前記第２の制御コマンドを受信した場合、前記第１のコマンドに基づく画像の記録が終了した時点でのインク残量が多いインクタンクを判別し、インク残量が多いと判別した前記インクタンクと接続したノズル列からインクを吐出させて前記第２の制御コマンドに基づく画像を記録させる請求項２に記載の記録装置。
【請求項５】
前記記録制御部は、
受信した前記第１の制御コマンドに基づく画像の記録に係る処理中に前記第２の制御コマンドを受信した場合、前記第２の制御コマンドの受信が開始された時点でのインク残量が多い前記インクタンクを判別し、インク残量が多い前記インクタンクと接続したノズル列からインクを吐出させて前記第２の制御コマンドに基づく画像を記録させる請求項２に記載の記録装置。
【請求項６】
前記記録制御部は、
受信した前記第１の制御コマンドに基づく画像の記録に係る処理を前記第１のインクタンクに接続された前記第１のノズル列からインクを吐出させた画像の記録中に前記第２の制御コマンドを受信した場合、前記第１の制御コマンドに基づく画像の記録が終了した時点での前記第１のインクタンクのインク残量を予測し、予測された前記第１のインクタンクのインク残量と前記第２のインクタンクのインク残量とを比較してインク残量が多いインクタンクを判別し、判別されたインクタンクと接続したノズル列からインクを吐出させて前記第２の制御コマンドに基づく画像を記録させる請求項１に記載の記録装置。
【請求項７】
記録媒体に画像を記録させる制御コマンドを受信し、
第１のノズル列と接続する第１のインクタンク及び前記第１のインクタンクに充填されたインクと同じ色のインクが充填されて第２のノズル列と接続する前記第２のインクタンクのうちインク残量が多い前記インクタンクを判別し、
判別されたインク残量が多いインクタンクと接続したノズル列からインクを吐出して画像を記録することを特徴とする記録装置の制御方法。
【請求項８】
インクが充填された第１のインクタンク、及び前記第１のインクタンクに充填されたインクと同色のインクが充填された第２のインクタンクが収納されるカートリッジと、
前記第１のインクタンクと接続して前記第１のインクタンクから供給されたインクを吐出する第１のノズル列と、
前記第２のインクタンクと接続して前記第２のインクタンクから供給されたインクを吐出する第２のノズル列と、を備える記録装置を制御する制御部で実行されるプログラムであって、
前記制御部を、
記録媒体に画像を記録する場合、前記第１のインクタンク及び前記第２のインクタンクのうちインク残量が多いインクタンクを判別し、インク残量が多いインクタンクと接続したノズル列からインクを吐出させて画像を記録させる記録制御部として機能させることを特徴とするプログラム。
【手続補正２】
【補正対象書類名】明細書
【補正対象項目名】０００５
【補正方法】変更
【補正の内容】
【０００５】
上記目的を達成するために、本発明の記録装置は、インクが充填された第１のインクタンク、及び前記第１のインクタンクに充填されたインクと同色のインクが充填された第２のインクタンクを収納するカートリッジと、前記第１のインクタンクと接続して前記第１のインクタンクから供給されたインクを吐出する第１のノズル列と、前記第２のインクタンクと接続して前記第２のインクタンクから供給されたインクを吐出する第２のノズル列と、記録媒体に画像を記録させる場合、前記第１のインクタンク及び前記第２のインクタンクのうちインク残量が多いインクタンクを判別してインク残量が多い前記インクタンクと接続したノズル列からインクを吐出して前記画像を記録させる記録制御部と、を備えることを特徴とする。
また、本発明の記録装置は、前記記録制御部は、像の記録を指示する第１の制御コマンドおよび画像の記録を指示する第２の制御コマンドを受信する。
また、本発明の記録装置は、前記記録制御部は、受信した第１の制御コマンドに基づく画像の記録に係る処理中に前記第２の制御コマンドを受信した場合、前記第２の制御コマンドの受信が完了した時点でのインク残量が多い前記インクタンクを判別し、インク残量が多いと判別したインクタンクと接続したノズル列からインクを吐出させて前記第２の制御コマンドに基づく画像を記録させる。
また、本発明の記録装置は、前記記録制御部は、受信した前記第１の制御コマンドに基づく画像の記録に係る処理中に前記第２の制御コマンドを受信した場合、前記第１のコマンドに基づく画像の記録が終了した時点でのインク残量が多いインクタンクを判別し、インク残量が多いと判別した前記インクタンクと接続したノズル列からインクを吐出させて前記第２の制御コマンドに基づく画像を記録させる。
また、本発明の記録装置は、前記記録制御部は、受信した前記第１の制御コマンドに基づく画像の記録に係る処理中に前記第２の制御コマンドを受信した場合、前記第２の制御コマンドの受信が開始された時点でのインク残量が多い前記インクタンクを判別し、インク残量が多い前記インクタンクと接続したノズル列からインクを吐出させて前記第２の制御コマンドに基づく画像を記録させる。
また、本発明の記録装置は、前記記録制御部は、受信した前記第１の制御コマンドに基づく画像の記録に係る処理を前記第１のインクタンクに接続された前記第１のノズル列からインクを吐出させた画像の記録中に前記第２の制御コマンドを受信した場合、前記第１の制御コマンドに基づく画像の記録が終了した時点での前記第１のインクタンクのインク残量を予測し、予測された前記第１のインクタンクのインク残量と前記第２のインクタンクのインク残量とを比較してインク残量が多いインクタンクを判別し、判別されたインクタンクと接続したノズル列からインクを吐出させて前記第２の制御コマンドに基づく画像を記録させる。
また、本発明の記録装置の制御方法は、記録媒体に画像を記録させる制御コマンドを受信し、第１のノズル列と接続する第１のインクタンク及び前記第１のインクタンクに充填されたインクと同じ色のインクが充填されて第２のノズル列と接続する前記第２のインクタンクのうちインク残量が多い前記インクタンクを判別し、判別されたインク残量が多いインクタンクと接続したノズル列からインクを吐出して画像を記録することを特徴とする。
また、本発明のプログラムは、インクが充填された第１のインクタンク、及び前記第１のインクタンクに充填されたインクと同色のインクが充填された第２のインクタンクが収納されるカートリッジと、前記第１のインクタンクと接続して前記第１のインクタンクから供給されたインクを吐出する第１のノズル列と、前記第２のインクタンクと接続して前記第２のインクタンクから供給されたインクを吐出する第２のノズル列と、を備える記録装置を制御する制御部で実行されるプログラムであって、前記制御部を、記録媒体に画像を記録する場合、前記第１のインクタンク及び前記第２のインクタンクのうちインク残量が多いインクタンクを判別し、インク残量が多いインクタンクと接続したノズル列からインクを吐出させて画像を記録させる記録制御部として機能させることを特徴とする。
上記目的を達成するために、本発明は、記録装置であって、インクが充填された第１のインクタンク、及び前記第１のインクタンクに充填されたインクと同色のインクが充填された第２のインクタンクが収納されるカートリッジと、前記第１のインクタンクに接続され、前記第１のインクタンクから供給されたインクを吐出する第１のノズル列と、前記第２のインクタンクに接続され、前記第２のインクタンクから供給されたインクを吐出する第２のノズル列と、前記第１のノズル列もしくは前記第２のノズル列からインクを吐出させて記録媒体に画像を記録する記録制御部と、を備え、前記記録制御部は、前記記録媒体に画像を記録する場合、前記第１のインクタンク、もしくは前記第２のインクタンクのうちインク残量が多いインクタンクを判別し、インク残量が多い前記インクタンクに接続されたノズル列からインクを吐出して画像を記録することを特徴とする。
ここで、上記構成の記録装置にように、同色のインクが充填された複数のインクタンクが収納されるカートリッジが取り付けられるものでは、いずれか一つのインクタンクが空、もしくは、空に近い状態となると、当該一つのインクタンクに接続されたノズルに対してクリーニングができなくなるため、カートリッジ自体を交換する必要が生じる。この場合において他のインクタンクにインクが十分残っている場合は、当該他のインクタンクから同色のインクを吐出して画像を記録することができる状態であるのにもかかわらず、カートリッジ自体を交換することとなるため、コストの問題から改善の余地がある。このため、上記構成の記録装置では、同色のインクが充填された複数のインクタンクについて、できるだけインク残量が均一となるようにしたいとするニーズがある。以上を踏まえ、本発明によれば、画像の記録に際し、複数のインクタンクのうちインク残量が最も多いインクタンクに接続されたノズルからインクを吐出して画像が記録されるため、各インクタンクについて、インク残量に乖離が生じるのを抑制し、できるだけ均一にすることができる。すなわち、上記構成によれば、同色のインクが充填された複数のインクタンクが収納されるカートリッジを取り付け可能な記録装置について、インク残量を均一化したいとするニーズに応じた適切な制御を行うことが可能となる。